(57)【要約】【課題】従来のＰクランプに比して耐久性を向上させることができ、しかもコンクリート打設時に必ず行なわれるバイブレータによる振動にも強く耐えることができるコンクリート型枠用締結具を提供する。【解決手段】Ｌ字型形状を呈する一対のクランプアーム（２，３）の端部同士を互いに回動可能となるようにリベット締結し、コンクリート型枠の連接部Ｐを挟持可能にして成る略コ字型のクランプ体４と、一方のクランプアーム２に対し回動可能となるように一対のアーム部５Ａ先端をリベット締結し、他方のクランプアーム３側へ回動して当該他方のクランプアーム３のＬ字型折曲肩部７に、一対のアーム部５Ａ相互間に形成した開口部６を係合することによって他方のクランプアーム３を一方のクランプアーム２側へ押圧し、両クランプアーム同士を圧搾するクランプレバー体５とから構成する。【選択図】　　　　　図１
2004068309.tif 000002
【特許請求の範囲】
【請求項１】
Ｌ字型形状の一対のクランプアームの端部同士を互いに回動可能となるように締結し、コンクリート型枠の連接部を挟持可能にして成る略コ字型のクランプ体と、
一方のクランプアームに対し回動可能となるように一対のアーム部先端が締結され、他方のクランプアーム側へ回動させて当該他方のクランプアームのＬ字型折曲肩部に、一対のアーム部相互間に形成された開口部を係合させることによって他方のクランプアームを一方のクランプアーム側へ押圧し、両クランプアーム同士を圧搾させるクランプレバー体と
から構成したコンクリート型枠用締結具。
【請求項２】
前記一対のクランプアームの端部同士は互いに回動可能となるようにリベット締結され、前記クランプレバー体は一方のクランプアームに対し回動可能となるように一対のアーム部先端がリベット締結されている請求項１記載のコンクリート型枠用締結具。
【請求項３】
クランプレバー体の一対のアーム部相互間の開口部が、他方のクランプアームのＬ字型折曲肩部に係合されない状態ではクランプ体のリベット締結部分が略直線状に延びた状態であり、係合された状態ではリベット締結部分が略三角形状に折曲された状態となる請求項１記載のコンクリート型枠用締結具。
【請求項４】
クランプレバー体の一対のアーム部相互間の開口部に係合される他方のクランプアームのＬ字型折曲肩部は、外側へ向けて緩やかに湾曲した隆起面部が形成されている請求項１記載のコンクリート型枠用締結具。
【発明の詳細な説明】
【０００１】
【発明の属する技術分野】
本発明は、コンクリートの打設作業に際し予め設置される木製等のコンクリート型枠の連接部を挟持固定するためのコンクリート型枠用締結具に関する。
【０００２】
【従来の技術】
従来、プラスチック型枠の連結に使用している鋼製のカム機構を利用したＰクランプなるものがあり、このＰクランプ自体は一般の木製型枠の連結に利用されているものを流用したものである。
【０００３】
【発明が解決しようとする課題】
しかしながらこのような従来のＰクランプは、耐久性がなく、しかもコンクリート打設時に必ず行なわれるバイブレータによる振動に非常に弱いものである。すなわち、耐久性のない理由は、Ｐクランプのレバーが使用しているうちにストッパーを乗り越えてしまい、以後の使用に対し不具合が生じてしまうからである。これは素手でなくとも工具等で回しても同じこととなる。しかも使用方法の制限厳守に基づき多くの職人が使用している中でも現実的に不可能であった。このためストッパーの改善を図ろうとしても費用の面で実現不可能であった。
【０００４】
また、振動に弱いことの理由は、コンクリート打設時に、コンクリートの周囲をしっかりとしたものにするためバイブレータをかけるのであるが、そのバイブレータの振動によって、型枠の連接部に組み付けられているＰクランプ自体に緩みが発生するからである。そのために職人は度々Ｐクランプの状態を見ながら増す締め作業を行なう必要があり、作業上非常に面倒なものとなる等の問題点があった。
【０００５】
そこで本発明は叙上のような従来存した諸事情に鑑み創出されたもので、従来のＰクランプに比して耐久性を向上させることができ、しかもコンクリート打設時に必ず行なわれるバイブレータによる振動にも強く耐えることのできるコンクリート型枠用締結具を提供することを目的とする。
【０００６】
【課題を解決するための手段】
上述した課題を達成するため、本発明にあっては、Ｌ字型形状を呈する一対のクランプアーム（２，３）の端部同士を互いに回動可能となるように軸止し、例えばリベット締結し、コンクリート型枠の連接部Ｐを挟持可能にして成る略コ字型のクランプ体４と、一方のクランプアーム２に対し回動可能となるように一対のアーム部５Ａ先端がリベット締結され、他方のクランプアーム３側へ回動させて当該他方のクランプアーム３のＬ字型折曲肩部７に、一対のアーム部５Ａ相互間に形成された開口部６を係合させることによって他方のクランプアーム３を一方のクランプアーム２側へ押圧し、両クランプアーム同士を圧搾させるクランプレバー体５とから成るものである。
また、クランプレバー体５の一対のアーム部５Ａ相互間の開口部６が、他方のクランプアーム３のＬ字型折曲肩部７に係合されない状態ではクランプ体４のリベット締結部分が略直線状に延びた状態であり、係合された状態ではリベット締結部分が略三角形状に折曲された状態となるものとすることができる。
さらに、クランプレバー体５の一対のアーム部５Ａ相互間の開口部６に係合される他方のクランプアーム３のＬ字型折曲肩部７は、外側へ向けて緩やかに湾曲した隆起面部７Ａが形成されているものとすることができる。
【０００７】
以上のように構成された本発明に係るコンクリート型枠用締結具において、クランプレバー体５は、他方のクランプアーム３側へ回動させて当該他方のクランプアーム３のＬ字型折曲肩部７に、一対のアーム部５Ａ相互間に形成された開口部６を係合させることによって、他方のクランプアーム３は一方のクランプアーム２側へ押圧され、両クランプアーム同士を圧搾させるものとなり、これにより一方のクランプアーム２と他方のクランプアーム３との間でコンクリート型枠の連接部Ｐを強固に挟持固定させる。
クランプレバー体５の一対のアーム部５Ａ相互間の開口部６が、他方のクランプアーム３のＬ字型折曲肩部７に係合されない状態ではクランプ体４のリベット締結部分が略直線状に延びた状態であるため、両クランプアーム相互間がコ字型に対し若干開いた状態となってクランプ体４によるコンクリート型枠の連接部Ｐへのスムーズな挟持装着を可能にさせる。
また、クランプレバー体５の一対のアーム部５Ａ相互間の開口部６が、他方のクランプアーム３のＬ字型折曲肩部７に係合された状態ではクランプ体４のリベット締結部分が略三角形状に折曲された状態となるため、両クランプアーム相互間がコ字型に対し若干閉じた状態となってコンクリート型枠の連接部Ｐを挟持しているクランプ体４が圧搾されるのに伴い保持力が増強される。
外側へ向けて緩やかに湾曲した隆起面部７Ａは、他方のクランプアーム３のＬ字型折曲肩部７がクランプレバー体５の一対のアーム部５Ａ相互間の開口部６に係合された際においては、クランプレバー体５自体は隆起面部７Ａを乗り上げられないものとなって当該クランプレバー体５の振動に伴う抜脱方向への回動を阻止させる。
【０００８】
【発明の実施の形態】
以下図面を参照して本発明の一実施の形態を説明すると、図において示される符号１は、コンクリートの打設作業に際し予め設置される木製等のコンクリート型枠部材の縁枠部同士を合致させた連接部Ｐをしっかりと挟持固定するための例えば硬質な合成樹脂製から成るコンクリート型枠用の締結具本体である。
【０００９】
この締結具本体１は、図１、図２に示すように、Ｌ字型形状を呈する一対のクランプアーム（２，３）の端部同士を互いに回動可能となるようにリベット締結してコンクリート型枠の連接部Ｐを挟持可能にした略コ字型のクランプ体４を備えている。すなわち、Ｌ字型形状を呈する一方のクランプアーム２の一端部を上下方向の幅員よりも狭幅な円筒状の雄側ヒンジ部２Ａに形成し、Ｌ字型形状を呈する他方のクランプアーム３の一端部を略コ字型に窪ませて前記雄側ヒンジ部２Ａの幅厚と略同じ幅員をもって対向配置させた一対の円筒状の雌側ヒンジ部３Ａを形成し、一対の雌側ヒンジ部３Ａ相互間に雄側ヒンジ部２Ａを嵌合させてから両者円筒の孔に挿入したリベット部材８によって互いに回動可能となるように枢着してある。
【００１０】
また、一方のクランプアーム２の上下側面には、クランプアーム２自体に対し回動可能となるようにクランプレバー体５の一対のアーム部５Ａ先端がそれぞれリベット締結されている。すなわちクランプレバー体５は、帯板状部材の一端部側中央から長手方向に沿って矩形状に切欠することで中央の開口部６を介して上下側にアーム部５Ａが対向配置されたものであって、両アーム部５Ａ先端に形成した孔を、一方のクランプアーム２のＬ字型折曲肩部７と前記雄側ヒンジ部２Ａとの間において上下側面を貫通形成した孔に合致させ、両孔に挿入したリベット部材９によって互いに回動可能となるように枢着してある。
【００１１】
このときクランプレバー体５のリベット締結部位から開口部６の奥行きまでの長さは、他方のクランプアーム３の雌側ヒンジ部３Ａ（リベット締結部位）とＬ字型折曲肩部７までの長さと、一方のクランプアーム２の雄側ヒンジ部２Ａ（リベット締結部位）とクランプレバー体５のリベット締結部位までの長さとの和よりも短くなるように形成してある。これによりクランプレバー体５の一対のアーム部５Ａ相互間の開口部６が、他方のクランプアーム３のＬ字型折曲肩部７に係合されない状態ではクランプ体４のリベット締結部分が略直線状に延びた状態であり、係合された状態ではリベット締結部分が略三角形状に折曲された状態となるものとしている。
【００１２】
こうしてクランプレバー体５を他方のクランプアーム３側へ回動させて当該他方のクランプアーム３のＬ字型折曲肩部７に、両アーム部５Ａ相互間に形成された開口部６を係合させることによって他方のクランプアーム３を一方のクランプアーム２側へ押圧し、両クランプアーム（２，３）同士を圧搾可能となるようにしてある。
【００１３】
また、クランプレバー体５の一対のアーム部５Ａ相互間の開口部６に係合される他方のクランプアーム３のＬ字型折曲肩部７には、外側へ向けて緩やかに湾曲した隆起面部７Ａが形成されている。
【００１４】
次に以上のように構成された実施の形態についての使用の一例を説明する。図１に示すように、先ず、締結具本体１のクランプレバー体５の開口部６を他方のクランプアーム３のＬ字型折曲肩部７から解放しておき、クランプ体４のリベット締結部分が略直線状に延びた状態にしておく。そして、コンクリート型枠部材の縁枠部同士を合致させた連接部Ｐをクランプ体４で挟着しておき、クランプレバー体５の端部側を例えば５００ｋｇＷ以上の力で強く叩き込む等してクランプレバー体５を他方のクランプアーム３側へ押し込み回動させると、一対のアーム部５Ａ相互間の開口部６が、他方のクランプアーム３のＬ字型折曲肩部７に係合される。このときクランプレバー体５によって他方のクランプアーム３を一方のクランプアーム２側へ押圧して両クランプアーム同士を強固に圧搾するので、コンクリート型枠の連接部Ｐに対する締結具本体１の挟着力が増強されるのである。
【００１５】
しかもこのとき外側へ向けて緩やかに湾曲した隆起面部７Ａによって、他方のクランプアーム３のＬ字型折曲肩部７がクランプレバー体５の一対のアーム部５Ａ相互間の開口部６にしっかりと係合された状態となっており、このためクランプレバー体５自体は隆起面部７Ａを乗り上げられないものとなって当該クランプレバー体５の振動に伴う抜脱方向への回動が阻止できるものとなる。一方、コンクリート型枠の連接部Ｐから締結具本体１を取り外す場合には、クランプレバー体５を他方のクランプアーム３のＬ字型折曲肩部７の係合位置から解放させれば簡単に締結具本体１を取り外すことができる。
【００１６】
【発明の効果】
本発明は以上のように構成されているために、従来のＰクランプに比して耐久性を向上させることができ、しかもコンクリート打設時に必ず行なわれるバイブレータによる振動にも強く耐えることができる。
【００１７】
すなわちこれは本発明が、Ｌ字型形状を呈する一対のクランプアーム（２，３）の端部同士を互いに回動可能となるようにリベット締結し、コンクリート型枠の連接部Ｐを挟持可能にして成る略コ字型のクランプ体４と、一方のクランプアーム２に対し回動可能となるように一対のアーム部５Ａ先端がリベット締結され、他方のクランプアーム３側へ回動させて当該他方のクランプアーム３のＬ字型折曲肩部７に、一対のアーム部５Ａ相互間に形成された開口部６を係合させることによって他方のクランプアーム３を一方のクランプアーム２側へ押圧し、両クランプアーム同士を圧搾させるクランプレバー体５とから成るからであり、これにより一方のクランプアーム２と他方のクランプアーム３との間でコンクリート型枠の連接部Ｐを強固に挟持固定させることができ、振動に対しても非常に強いものとなる。
【００１８】
また、クランプレバー体５の一対のアーム部５Ａ相互間の開口部６が、他方のクランプアーム３のＬ字型折曲肩部７に係合されない状態ではクランプ体４のリベット締結部分が略直線状に延びた状態であり、係合された状態ではリベット締結部分が略三角形状に折曲された状態となるので、他方のクランプアーム３のＬ字型折曲肩部７に係合されない状態では両クランプアーム相互間がコ字型に対し若干開いた状態となってクランプ体４によるコンクリート型枠の連接部Ｐへの挟持装着をスムーズに行なうことができると共に、他方のクランプアーム３のＬ字型折曲肩部７に係合された状態では両クランプアーム相互間がコ字型に対し若干閉じた状態となってコンクリート型枠の連接部Ｐを挟持しているクランプ体４が圧搾され、これにより保持力を一層増強させることができる。
【００１９】
さらに、クランプレバー体５の一対のアーム部５Ａ相互間の開口部６に係合される他方のクランプアーム３のＬ字型折曲肩部７は、外側へ向けて緩やかに湾曲した隆起面部７Ａが形成されているので、他方のクランプアーム３のＬ字型折曲肩部７がクランプレバー体５の一対のアーム部５Ａ相互間の開口部６に係合された状態ではクランプレバー体５自体は隆起面部７Ａを乗り上げることができず、当該クランプレバー体５の振動に伴う抜脱方向への回動を阻止させることができる。
【図面の簡単な説明】
【図１】本発明の一実施の形態における取付状態を説明する概略斜視図である。
【図２】同じく取付状態を説明する概略横断面図である。
【符号の説明】
Ｐ…コンクリート型枠の連接部
１…締結具本体
２…一方のクランプアーム
２Ａ…雄側ヒンジ部
３…他方のクランプアーム
３Ａ…雌側ヒンジ部
４…クランプ体
５…クランプレバー体
５Ａ…一対のアーム部
６…開口部
７…Ｌ字型折曲肩部
７Ａ…隆起面部
８，９…リベット部材
【図１】
2004068309.tif 000003
【図２】
2004068309.tif 000004